(57)【要約】ＯＣＢモード液晶を使用した液晶表示装置において、電源ＯＦＦ後の表示画面のムラの発生を防止することができる、液晶パネルの駆動装置、駆動方法、そのプログラム、媒体を提供すること。ＯＣＢモード液晶を使用した液晶層１と、液晶層１に電圧を印加するためのドライバ２と、ドライバ２に電源を供給するための液晶駆動電源部３と、ドライバ２にオンオフ信号を出力するスイッチ４と、を備え、スイッチ４がオフ信号を出力したとき、ドライバ２は、液晶層１の各画素に印加可能な所定の電圧を所定時間印加し、前記所定時間の経過後、液晶駆動電源３からドライバ２への電源の供給を停止させる、液晶表示装置。
2004063801.tif 000002
【特許請求の範囲】
【請求項１】
ＯＣＢモード液晶を使用した液晶層と、
前記液晶層に電圧を印加するためのドライバと、
前記ドライバに電源を供給するための液晶駆動電源と、
前記ドライバにオンオフ信号を出力するスイッチと、を備え、
前記スイッチからオフ信号が出力されたとき、前記ドライバは、前記液晶層の各画素に印加可能な所定の電圧を所定時間印加し、前記所定時間の経過後、前記液晶駆動電源から前記ドライバへの電源の供給を停止させる、液晶表示装置。
【請求項２】
前記液晶層には、各画素毎に個別の電圧が印加される画素電極と、各画素電極に対向して配置される対向電極と、が設けられており、
前記所定の電圧は、ＯＣＢモード液晶の臨界電圧以上の電圧であり、
前記各画素への電圧の印加は、前記画素電極と前記対向電極との間においてなされる、請求項１に記載の液晶表示装置。
【請求項３】
前記所定の電圧は、表示面に実質上黒が表示される電圧である、請求項２に記載の液晶表示装置。
【請求項４】
前記スイッチからオフ信号が出力されたとき、前記ドライバは、前記液晶層の各画素に表示面に実質上黒が表示される電圧を印加した後、表示面に実質上白が表示される電圧を印加し、その後前記液晶駆動電源から前記ドライバへの電源の供給を停止させる、請求項２に記載の液晶表示装置。
【請求項５】
前記スイッチからオフ信号が出力されたとき、前記ドライバは、前記液晶層の各画素に所定の電圧を印加する代わりに、表示面に実質上黒が表示される電圧よりも高い電圧を所定時間印加し、前記所定時間の経過後、前記液晶駆動電源から前記ドライバへの電源の供給を停止させる、請求項２に記載の液晶表示装置。
【請求項６】
前記スイッチからオフ信号が出力されたとき、前記ドライバは、前記液晶層の各画素に所定の電圧を印加する代わりに、表示面に実質上黒が表示される電圧よりも高い電圧を所定時間印加し、前記所定時間の経過後、表示面に実質上白が表示される電圧を印加し、その後前記液晶駆動電源から前記ドライバへの電源の供給を停止させる、請求項２に記載の液晶表示装置。
【請求項７】
前記所定時間の経過後、表示面に実質上白が表示される電圧を印加する代わりに、表示面に実質上黒が表示される電圧を印加する、請求項６に記載の液晶表示装置。
【請求項８】
前記スイッチからオフ信号が出力されたとき、前記ドライバは、前記液晶各層の各画素に所定の電圧を印加する代わりに、表示面に実質上黒が印加される電圧よりも高く、前記液晶層に印加可能な最大電圧以下の電圧を所定時間印加し、前記所定時間の経過後、表示面に実質上黒が表示される電圧を印加し、前記実質上黒が表示される電圧が印加された後、表示面に実質上白が表示される電圧を印加し、前記実質上白が表示される電圧が印加された後、前記駆動電源から前記ドライバへの電源の供給を停止させる、請求項２に記載の液晶表示装置。
【請求項９】
前記表示面に実質上白が表示される電圧とは、対向電極と画素電極との間の電圧、ならびにゲートラインと画素電極との間の電圧または画素電極と前記画素電極以外の電極との間の電圧が実質上ゼロである、請求項４に記載の液晶表示装置。
【請求項１０】
前記表示面に実質上白が表示される電圧とは、対向電極と画素電極との間の電圧、ならびにゲートラインと画素電極との間の電圧または画素電極と前記画素電極以外の電極との間の電圧が実質上ゼロである、請求項６に記載の液晶表示装置。
【請求項１１】
前記表示面に実質上白が表示される電圧とは、対向電極と画素電極との間の電圧、ならびにゲートラインと画素電極との間の電圧または画素電極と前記画素電極以外の電極との間の電圧が実質上ゼロである、請求項７に記載の液晶表示装置。
【請求項１２】
前記表示面に実質上白が表示される電圧とは、対向電極と画素電極との間の電圧、ならびにゲートラインと画素電極との間の電圧または画素電極と前記画素電極以外の電極との間の電圧が実質上ゼロである、請求項８に記載の液晶表示装置。
【請求項１３】
前記液晶駆動電源に接続され、前記液晶層を照射するためのバックライトをさらに備え、
前記スイッチからオフ信号が出力されたとき、前記ドライバから前記液晶層の各画素に所定の電圧が印加されると同時か前に、前記バックライトからの照射が停止される、請求項２に記載の液晶表示装置。
【請求項１４】
前記液晶駆動電源に接続され、前記液晶層を照射するためのバックライトをさらに備え、
前記スイッチからオフ信号が出力されたとき、前記ドライバから前記液晶層の各画素に所定の電圧が印加されると同時か前に、前記バックライトからの照射が停止される、請求項３に記載の液晶表示装置。
【請求項１５】
前記液晶駆動電源に接続され、前記液晶層を照射するためのバックライトをさらに備え、
前記スイッチからオフ信号が出力されたとき、前記ドライバから前記液晶層の各画素に所定の電圧が印加されると同時か前に、前記バックライトからの照射が停止される、請求項４に記載の液晶表示装置。
【請求項１６】
前記液晶駆動電源に接続され、前記液晶層を照射するためのバックライトをさらに備え、
前記スイッチからオフ信号が出力されたとき、前記ドライバから前記液晶層の各画素に所定の電圧が印加されると同時か前に、前記バックライトからの照射が停止される、請求項５に記載の液晶表示装置。
【請求項１７】
前記各画素に印加される電圧は、交番電圧である、請求項２〜１６のいずれかに記載の液晶表示装置。
【請求項１８】
前記所定の電圧は、前記各画素に対して均一な電圧である、請求項２〜１６のいずれかに記載の液晶表示装置。
【請求項１９】
前記所定の電圧は、前記各画素に対して均一な電圧である、請求項１７に記載の液晶表示装置。
【請求項２０】
前記液晶層には、前記ドライバに接続され、画素電圧が供給される画素電極と、前記ドライバに接続され、前記画素電圧とは異なる電圧が供給され、前記画素電極と対向して誘電体を介して配置される特定電極と、が設けられており、
前記画素電極は、前記画素電極の輪郭の少なくとも一部が前記ＯＣＢモード液晶の配向方向に対して垂直にならないように配置されており、
前記スイッチからオフ信号が出力されたとき、前記ドライバは、前記画素電極と前記特定電極との間に前記ＯＣＢモード液晶の配向方向とは異なる方向の電界を生じさせ、所定時間の経過後、前記液晶駆動電源から前記ドライバへの電源の供給を停止させる、請求項１に記載の液晶表示装置。
【請求項２１】
前記画素電極の輪郭は、前記ＯＣＢモード液晶の配向方向に対して垂直ではなく、画素内において、前記配向方向の液晶の一部を一方向にツイストする方向の電界を生じさせる第１の部分と、前記配向方向の液晶の別の一部を他方向にツイストする方向の電界を生じさせる第２の部分と、を含む、請求項２０に記載の液晶表示装置。
【請求項２２】
前記第１の部分および前記第２の部分は、前記ＯＣＢモード液晶の配向方向に対して実質上平行であり、前記第１の部分および前記第２の部分が、交互に連続して形成されている、請求項２１に記載の液晶表示装置。
【請求項２３】
前記液晶層には、各前記画素電極に対向して配置される対向電極がさらに設けられ、
前記スイッチからオフ信号が出力されたとき、前記ドライバは、前記液晶層の各前記画素電極と前記対向電極との間に、表示面に実質上白を表示させる電圧を印加し、その後、前記液晶駆動電源から前記ドライバへの電源の供給を停止させる、請求項２０に記載の液晶表示装置。
【請求項２４】
前記スイッチからオフ信号が出力されたとき、前記ドライバは、前記液晶層の各画素にＯＣＢモード液晶の臨界電圧以上であり、前記液晶層に印加可能な最大電圧以下の所定の電圧を印加し、その後、表示面に実質上白を表示させる電圧を印加し、その後、前記液晶駆動電源から前記ドライバへの電源の供給を停止させる、請求項２０に記載の液晶表示装置。
【請求項２５】
前記ＯＣＢモード液晶の配向方向とは異なる方向の電界は、前記表示面に白を表示させる電圧を印加すると同時かそれ以降に印加される、請求項２４に記載の液晶表示装置。
【請求項２６】
前記特定電極には、前記ＯＣＢ液晶モードの配向方向に隣接する２つの画素電極が誘電体を介して設けられており、
前記２つの画素電極の輪郭はそれぞれ、前記ＯＣＢモード液晶の配向方向に対して垂直とならないように配置されており、画素内において、前記配向方向の液晶の一部を一方向にツイストする方向の電界を生じさせる第１の部分と、前記配向方向の液晶の別の一部を他方向にツイストする方向の電界を生じさせる第２の部分と、をそれぞれ含む、請求項２０に記載の液晶表示装置。
【請求項２７】
前記ドライバは、前記２つの画素電極に互いに逆の位相の電圧を印加する、請求項２６に記載の液晶表示装置。
【発明の詳細な説明】
【技術分野】  本発明は、液晶表示装置、その停止方法、プログラム、記録媒体に関する。
【背景技術】  液晶表示装置は、薄型、軽量であり、従来のブラウン管に代替するものとして、近年一層用途が拡大されてきた。現在広く使用されているＴＮ（Ｔｗｉｓｔｅｄ  Ｎｅｍａｔｉｃ）配向液晶パネルは視野角が狭く、また応答速度が遅く、液晶素子が保持型であることもあって、動画表示には尾を引くように見える等、ブラウン管より画質が劣る。
一般にＴＮ配向液晶パネルでは、電源ＯＦＦ後も表示パターンが残る現象が見られていた。電源ＯＦＦ後は液晶のバックライトは消灯するが、外光の強いところでは、外光の反射光によって表示が薄く残って見える現象「ＯＦＦ残像」が発生していた。これは、画素電極に蓄積した電位が放電されずに、ＴＦＴがオープン状態で動作が終了するため、電源ＯＦＦ後も電荷が抜けずに液晶に電圧が印加され続けることが原因であった。
そこで、ＴＮ配向液晶表示パネルでは、電源ＯＦＦ時にＴＦＴのゲートを一旦全部ＯＮさせ、電荷を抜いたあとで動作を終了するシーケンスをとることにより問題を解決していた。
ベンド配向を有するＯＣＢ（Ｏｐｔｉｃａｌｌｙ  Ｃｏｍｐｅｎｓａｔｅｄ  Ｂｅｎｄ）モード液晶（例えば、特開昭６１−１１６３２９号公報参照）を用いれば、高速応答かつ広視野角で動画表示や大画面化に充分対応でき、ブラウン管よりも薄型で低消費電力の大画面ディスプレイを提供することができる。
ＯＣＢモード液晶の配向には、スプレイ配向とベンド配向がある。スプレイ配向とは、図８（ａ）に示すように、ＯＣＢモード液晶に電圧が印加されていない状態（非表示状態）の液晶配向のことであり、ベンド配向とは、スプレイ配向のＯＣＢモード液晶に転移電圧を印加することにより表示状態となっている液晶配向のことである。そして、ベンド配向からスプレイ配向への遷移は、印加されている電圧をゼロまたは拮抗電圧Ｖｃよりも小さくすることによりなされる（以下、逆転移という。）。ここで拮抗電圧Ｖｃとはスプレイ配向とベンド配向がのエネルギーが拮抗する電圧であり、この電圧以下ではスプレイ配向が安定となる。
しかし、ＯＣＢモード液晶でも、上記の残留電荷によるＯＦＦ残像が発生するが、それ以外のモードでもＯＦＦ残像が発生する。このため、ＴＦＴのゲートをＯＮさせるだけではこの問題は十分に解決しない。具体的にはＯＣＢモード液晶の表示に用いるベンド配向がスプレイ配向に遷移する課程が均一でなければ表示面にムラが認識されていた。特に、表示パターンに依存しながら、表示面から不均一に映像が消失する様子は、使用者に違和感を与えていた。
詳細には、ＯＣＢモード液晶が、ベンド配向からスプレイ配向に遷移する場合、以下のステップで進行する。まず、ＯＣＢモード液晶に印加される電圧が０Ｖになることで、ベンド配向は不安定となり、全ての領域で１８０°ツイストが発生する。ここで１８０°ツイストとは、液晶分子の配列方向が上基板と下基板間でねじれており、そのねじれ角が１８０°である液晶配向である。この配向状態は例えば透過色で明るい黄色に認識される。このツイスト配向状態を第２のスプレイ配向と呼ぶ場合もある。
ＯＣＢモード液晶に電圧がかかっていない状態では、スプレイ配向はツイスト配向状態よりも安定であるため、表示面に残留するスプレイ配向領域や、異物や表示面の突起部分を核として偶発的に発生したスプレイ配向領域が成長し、最終的には表示面の全面がスプレイ配向となって安定化する。このスプレイ配向は、例えば透過色で青色である。
問題なのは、電源ＯＦＦ後のツイスト配向（黄色）とスプレイ配向（青色）とが混在する状態が、不均一に、または表示時のパターンに依存して、表示面にムラ状として見えることである。
ＯＣＢモード液晶の場合、ベンド配向からスプレイ配向への遷移が不均一であると、電源をＯＦＦしてから、液晶層全面がスプレイ配向に移行するのに時間を要する。図１９は、従来のＯＣＢモード液晶を用いた液晶表示装置の電源ＯＦＦ時の動作（以下電源ＯＦＦシーケンスという。）を示すタイムチャートである。図１９に示す電源ＯＦＦシーケンスによると、液晶駆動電源をＯＦＦするタイミングで、バックライトを消灯し、同時に液晶層への印加電圧をＯＦＦしていた。
このような電源ＯＦＦシーケンスによると、映像表示によっては、液晶層の各部の印加電圧がそれぞれ異なるため、電源ＯＦＦ後、表示画面のうち、ベンド配向からスプレイ配向に移行する際に早くスプレイ配向に移行する部分と、遅くスプレイ配向に移行する部分が生じる。従って、電源ＯＦＦの後スプレイ配向に完全に移行するまでの所定の時間において、液晶層のある部分においては、すでにスプレイ配向の状態に移行しているが、別のある部分ではまだベンド配向とスプレイ配向との間の配向状態のままの状態（以下、第２のスプレイ配向という。）が生じる。このとき、外光が強いと、バックライトを消灯していても、液晶層の各部の配向状態の違いがムラとして画面上に見えてしまう。例えば、室温においては、全ての液晶層のスプレイ配向への移行には５秒程度要する。
また、電源ＯＦＦ後、スプレイ配向に完全に移行するまでの時間において、再度電源を投入すると、電源投入時のベンド配向に移行させる転移駆動期間が長く必要になり、電源投入から映像表示するまでに余計に時間がかかっていた。
図２０に、ＯＣＢモード液晶を用いた液晶表示装置の電源ＯＮ時の動作を示すタイムチャートを示す。時刻ｔ０の時点で電源をＯＮにしたとすると、時刻ｔ０の直後には、回路の種々の経路からの廻り込みによりスプレイ配向が乱れる要因が液晶層に加わる。このようなスプレイ配向の乱れを是正するために、時刻ｔ０からｔ１の期間において液晶層には０Ｖが印加される。そして液晶層が均一なスプレイ配向となった後、時刻ｔ１からｔ２において、液晶層の転移駆動のための転移電圧が印加される。時刻ｔ２において転移駆動が完了した後、液晶層には表示面に映像を表示するための電圧が印加される。
ここで、上記のように電源ＯＦＦ後、スプレイ配向に完全に移行するまでの時間において、再度電源が投入されると、電源ＯＮ時のスプレイ配向の乱れに加えて、第２のスプレイ配向での乱れが加わるため、ｔ０からｔ１に至る時間に長時間を要する。例えば、上記の第２のスプレイ配向ではない状態から電源ＯＮしたときのｔ０〜ｔ１の時間は、０．２秒程度であるのに対し、第２のスプレイ配向が存在するときに電源ＯＮしたときのｔ０〜ｔ１の時間は、０．４秒程度を要する。このように、第２のスプレイ配向が存在すると、電源投入してから、映像が表示されるまでの時間が長くなってしまっていた。
【発明の開示】
本発明は、上記の課題を考慮し、ＯＣＢモード液晶を使用した液晶表示装置において、電源ＯＦＦ後の表示画面のムラの発生を抑制することができる、液晶パネルの駆動装置、駆動方法、そのプログラム、記録媒体を提供することを目的とする。
また、本発朋は、ＯＣＢモード液晶を使用した液晶表示装置において、電源ＯＦＦ後に、表示面がベンド配向からスプレイ配向に迅速に移行することができる、液晶パネルの駆動装置、駆動方法、そのプログラム、記録媒体を提供することを目的とする。
上記課題を解決するために、第１の本発明は、ＯＣＢモード液晶を使用した液晶層と、
前記液晶層に電圧を印加するためのドライバと、
前記ドライバに電源を供給するための液晶駆動電源と、
前記ドライバにオンオフ信号を出力するスイッチと、を備え、
前記スイッチからオフ信号が出力されたとき、前記ドライバは、前記液晶層の各画素に印加可能な所定の電圧を所定時間印加し、前記所定時間の経過後、前記液晶駆動電源から前記ドライバへの電源の供給を停止させる、液晶表示装置である。
第２の本発明は、前記液晶層には、各画素毎に個別の電圧が印加される画素電極と、各画素電極に対向して配置される対向電極と、が設けられており、
前記所定の電圧は、ＯＣＢモード液晶の臨界電圧以上の電圧であり、
前記各画素への電圧の印加は、前記画素電極と前記対向電極との間においてなされる、第１の本発明の液晶表示装置である。
第３の本発明は、前記所定の電圧は、表示面に実質上黒が表示される電圧である、第２の本発明の液晶表示装置である。
第４の本発明は、前記スイッチからオフ信号が出力されたとき、前記ドライバは、前記液晶層の各画素に表示面に実質上黒が表示される電圧を印加した後、表示面に実質上白が表示される電圧を印加し、その後前記液晶駆動電源から前記ドライバへの電源の供給を停止させる、第２の本発明の液晶表示装置である。
第５の本発明は、前記スイッチからオフ信号が出力されたとき、前記ドライバは、前記液晶層の各画素に所定の電圧を印加する代わりに、表示面に実質上黒が表示される電圧よりも高い電圧を所定時間印加し、前記所定時間の経過後、前記液晶駆動電源から前記ドライバへの電源の供給を停止させる、第２の本発明の液晶表示装置である。
第６の本発明は、前記スイッチからオフ信号が出力されたとき、前記ドライバは、前記液晶層の各画素に所定の電圧を印加する代わりに、表示面に実質上黒が表示される電圧よりも高い電圧を所定時間印加し、前記所定時間の経過後、表示面に実質上白が表示される電圧を印加し、その後前記液晶駆動電源から前記ドライバへの電源の供給を停止させる、第２の本発明の液晶表示装置である。
第７の本発明は、前記所定時間の経過後、表示面に実質上白が表示される電圧を印加する代わりに、表示面に実質上黒が表示される電圧を印加する、第６の本発明の液晶表示装置である。
第８の本発明は、前記スイッチからオフ信号が出力されたとき、前記ドライバは、前記液晶各層の各画素に所定の電圧を印加する代わりに、表示面に実質上黒が印加される電圧よりも高く、前記液晶層に印加可能な最大電圧以下の電圧を所定時間印加し、前記所定時間の経過後、表示面に実質上黒が表示される電圧を印加し、前記実質上黒が表示される電圧が印加された後、表示面に実質上白が表示される電圧を印加し、前記実質上白が表示される電圧が印加された後、前記駆動電源から前記ドライバへの電源の供給を停止させる、第２の本発明の液晶表示装置である。
第９の本発明は、前記表示面に実質上白が表示される電圧とは、対向電極と画素電極との間の電圧、ならびにゲートラインと画素電極との間の電圧または画素電極と前記画素電極以外の電極との間の電圧が実質上ゼロである、第４の本発明の液晶表示装置である。
第１０の本発明は、前記表示面に実質上白が表示される電圧とは、対向電極と画素電極との間の電圧、ならびにゲートラインと画素電極との間の電圧または画素電極と前記画素電極以外の電極との間の電圧が実質上ゼロである、第６の本発明の液晶表示装置である。
第１１の本発明は、前記表示面に実質上白が表示される電圧とは、対向電極と画素電極との間の電圧、ならびにゲートラインと画素電極との間の電圧または画素電極と前記画素電極以外の電極との間の電圧が実質上ゼロである、第７の本発明の液晶表示装置である。
第１２の本発明は、前記表示面に実質上白が表示される電圧とは、対向電極と画素電極との間の電圧、ならびにゲートラインと画素電極との間の電圧または画素電極と前記画素電極以外の電極との間の電圧が実質上ゼロである、第８の本発明の液晶表示装置である。
第１３の本発明は、前記液晶駆動電源に接続され、前記液晶層を照射するためのバックライトをさらに備え、
前記スイッチからオフ信号が出力されたとき、前記ドライバから前記液晶層の各画素に所定の電圧が印加されると同時か前に、前記バックライトからの照射が停止される、第２の本発明の液晶表示装置である。
第１４の本発明は、前記液晶駆動電源に接続され、前記液晶層を照射するためのバックライトをさらに備え、
前記スイッチからオフ信号が出力されたとき、前記ドライバから前記液晶層の各画素に所定の電圧が印加されると同時か前に、前記バックライトからの照射が停止される、第３の本発明の液晶表示装置である。
第１５の本発朋は、前記液晶駆動電源に接続され、前記液晶層を照射するためのバックライトをさらに備え、
前記スイッチからオフ信号が出力されたとき、前記ドライバから前記液晶層の各画素に所定の電圧が印加されると同時か前に、前記バックライトからの照射が停止される、第４の本発明の液晶表示装置である。
第１６の本発明は、前記液晶駆動電源に接続され、前記液晶層を照射するためのバックライトをさらに備え、
前記スイッチからオフ信号が出力されたとき、前記ドライバから前記液晶層の各画素に所定の電圧が印加されると同時か前に、前記バックライトからの照射が停止される、第５の本発明の液晶表示装置である。
第１７の本発明は、前記各画素に印加される電圧は、交番電圧である、第２〜１６のいずれかの本発明の液晶表示装置である。
第１８の本発明は、前記所定の電圧は、前記各画素に対して均一な電圧である、第２〜１６のいずれかの本発明の液晶表示装置である。
第１９の本発明は、前記所定の電圧は、前記各画素に対して均一な電圧である、第１７の本発明の液晶表示装置である。
第２０の本発明は、前記液晶層には、前記ドライバに接続され、画素電圧が供給される画素電極と、前記ドライバに接続され、前記画素電圧とは異なる電圧が供給され、前記画素電極と対向して誘電体を介して配置される特定電極と、が設けられており、
前記画素電極は、前記画素電極の輪郭の少なくとも一部が前記ＯＣＢモード液晶の配向方向に対して垂直にならないように配置されており、
前記スイッチからオフ信号が出力されたとき、前記ドライバは、前記画素電極と前記特定電極との間に前記ＯＣＢモード液晶の配向方向とは異なる方向の電界を生じさせ、所定時間の経過後、前記液晶駆動電源から前記ドライバへの電源の供給を停止させる、第１の本発明の液晶表示装置である。
第２１の本発明は、前記画素電極の輪郭は、前記ＯＣＢモード液晶の配向方向に対して垂直ではなく、画素内において、前記配向方向の液晶の一部を一方向にツイストする方向の電界を生じさせる第１の部分と、前記配向方向の液晶の別の一部を他方向にツイストする方向の電界を生じさせる第２の部分と、を含む、第２０の本発明の液晶表示装置である。
第２２の本発明は、前記第１の部分および前記第２の部分は、前記ＯＣＢモード液晶の配向方向に対して実質上平行であり、前記第１の部分および前記第２の部分が、交互に連続して形成されている、第２１の本発明の液晶表示装置である。
第２３の本発明は、前記液晶層には、各前記画素電極に対向して配置される対向電極がさらに設けられ、
前記スイッチからオフ信号が出力されたとき、前記ドライバは、前記液晶層の各前記画素電極と前記対向電極との間に、表示面に実質上白を表示させる電圧を印加し、その後、前記液晶駆動電源から前記ドライバへの電源の供給を停止させる、第２０の本発明の液晶表示装置である。
第２４の本発明は、前記スイッチからオフ信号が出力されたとき、前記ドライバは、前記液晶層の各画素にＯＣＢモード液晶の臨界電圧以上であり、前記液晶層に印加可能な最大電圧以下の所定の電圧を印加し、その後、表示面に実質上白を表示させる電圧を印加し、その後、前記液晶駆動電源から前記ドライバへの電源の供給を停止させる、第２０の本発明の液晶表示装置である。
第２５の本発明は、前記ＯＣＢモード液晶の配向方向とは異なる方向の電界は、前記表示面に白を表示させる電圧を印加すると同時かそれ以降に印加される、第２４の本発明の液晶表示装置である。
第２６の本発明は、前記特定電極には、前記ＯＣＢ液晶モードの配向方向に隣接する２つの画素電極が誘電体を介して設けられており、
前記２つの画素電極の輪郭はそれぞれ、前記ＯＣＢモード液晶の配向方向に対して垂直とならないように配置されており、画素内において、前記配向方向の液晶の一部を一方向にツイストする方向の電界を生じさせる第１の部分と、前記配向方向の液晶の別の一部を他方向にツイストする方向の電界を生じさせる第２の部分と、をそれぞれ含む、第２０の本発明の液晶表示装置である。
第２７の本発明は、前記ドライバは、前記２つの画素電極に互いに逆の位相の電圧を印加する、第２６の本発明の液晶表示装置である。
第２８の本発明は、ＯＣＢモード液晶を使用した液晶層を備え、
前記液晶層には、各画素毎に個別の画素電圧が印加される画素電極と、各画素電極に対向して配置される対向電極と、が設けられており、各画素毎に、その画素の領域であって、前記画素電極と同一面内の領域に、前記対向電極に対して電圧を持たない無電圧領域が形成されており、前記無電圧領域の大きさは、前記液晶層がベンド配向になっている場合でも、その少なくも一部がスプレイ配向を維持することができる大きさである、液晶表示装置である。
第２９の本発明は、前記無電圧領域の大きさは、４００μｍ２以上である、第２８の本発明の液晶表示装置である。
第３０の本発明は、ＯＣＢモード液晶を使用した液晶層に電圧を印加するためのドライバにオフ信号を入力する工程と、
前記オフ信号が入力されたとき、前記ドライバが、前記液晶層の各画素に印加可能な所定の電圧を所定時間印加する工程と、
前記所定時間の経過後、前記ドライバに電源を供給するための液晶駆動電源から前記ドライバへの電源の供給を停止させる工程と、
を備える液晶表示装置の停止方法である。
第３１の本発明は、第１の本発明の液晶表示装置において、
前記スイッチからオフ信号が出力されたとき、前記液晶層の各画素に印加可能な所定の電圧を所定時間印加し、前記所定時間の経過後、前記液晶駆動電源から前記ドライバへの電源の供給を停止させるドライバとしてコンピュータを機能させるためのプログラムである。
第３２の本発明は、第３１の本発明のプログラムを担持した記録媒体であって、コンピュータにより処理可能な記録媒体である。
本発明によれば、ＯＣＢモード液晶を使用した液晶表示装置において、電源ＯＦＦ後の表示画面のムラの発生を抑制することができる、液晶パネルの駆動装置、駆動方法、そのプログラム、記録媒体を提供することができる。
また、本発明によれば、ＯＣＢモード液晶を使用した液晶表示装置において、電源ＯＦＦ後に、表示面がベンド配向からスプレイ配向に迅速に移行することができる、液晶パネルの駆動装置、駆動方法、そのプログラム、記録媒体を提供することができる。
【図面の簡単な説明】  図１は、本発明の実施の形態１および２の液晶表示装置の構成を示すブロック図である。
図２は、本発明の実施の形態１の液晶表示装置の動作を示す図である。
図３は、本発明の実施の形態２の液晶表示装置の動作を示す図である。
図４は、本発明の実施の形態３の液晶表示装置の動作を示す図である。
図５は、本発明の実施の形態１〜３の液晶表示装置の液晶層の平面構造を示す図である。
図６は、本発明の実施の形態１〜３の液晶表示装置の画素の回路を示す図である。
図７は、本発明の実施の形態１〜３の液晶表示装置を実施した場合の具体的なデータを示す図である。
図８は、
（ａ）本発明および従来技術における、スプレイ配向およびベンド配向を説明する図である。
（ｂ）本発明および従来技術における、スプレイ配向およびベンド配向を説明する図である。
図９は、本発明および従来技術における、スプレイ配向およびベンド配向のエネルギーを説明する図である。
図１０は、本発明の実施の形態４の液晶表示装置の電極構造を示す斜視図である。
図１１は、本発明の実施の形態４の液晶表示装置の動作を説明する図である。
図１２は、本発明の実施の形態４の液晶表示装置の動作を説明するための電極構造の平面図である。
図１３は、本発明の実施の形態４の液晶表示装置の電極構造の別の例を示す平面図である。
図１４は、本発明の実施の形態４の液晶表示装置の電極構造の別の例を示す平面図である。
図１５は、本発明の実施の形態４の液晶表示装置の電極構造の別の例を示す平面図である。
図１６は、本発明の実施の形態４および実施の形態５の液晶表示装置の画素の構造を示す平面図である。
図１７は、
（ａ）本発明の実施の形態４の液晶表示装置の画素の構造を示す平面図である。
（ｂ）本発明の実施の形態４の液晶表示装置の画素の構造を示す平面図である。
図１８は、
（ａ）本発明の実施の形態４の液晶表示装置の画素の構造を示す平面図である。
（ｂ）本発明の実施の形態４の液晶表示装置の画素の構造を示す平面図である。
図１９は、従来の液晶表示装置の動作を示す図である。
図２０は、従来の液晶表示装置の動作を示す図である。
【符号の説明】
１  液晶層
２  ドライバ
３  液晶駆動電源部
４、６  スイッチ
５  バックライト
【発明を実施するための最良の形態】  （実施の形態１）
図１は、本発明の実施の形態１の液晶表示装置の構成を示すブロック図である。ＯＣＢモード液晶を用いた、本発明の液晶層の一例である液晶層１には、液晶層１に電圧を印加するための本発明のドライバの一例であるドライバ２が接続されている。ドライバ２には、液晶層１から構成される表示面を照射するためのバックライト５、および本発明の液晶表示装置の電源をオンオフするためのスイッチ４が接続されている。ドライバ２にはドライバ２およびバックライト５に電源を供給するための本発明の液晶駆動電源の一例である液晶駆動電源部３がスイッチ６を介して接続されている。
図６は、液晶層１の構成を示す回路図である。液晶層１には、ソースライン４０６、ゲートライン４０７、画素トランジスタ４０１、画素電極４０２、対向電極４０８、および共通電極容量Ｃｓｔが配置されている。そして、ゲートライン４０７は、画素トランジスタ４０１のゲート側に接続され、ソースライン４０６は画素トランジスタ４０１のソース側に接続されている。画素トランジスタ４０１のドレイン側には、画素電極４０２および共通電極容量Ｃｓｔの一方側が接続されている。共通電極容量Ｃｓｔの他方側には、共通電極４０９が接続されている。また、画素トランジスタ４０１のゲート側とソース側には寄生容量Ｃｇｓが存在し、画素トランジスタ４０１のゲート側とドレイン側との間に寄生容量Ｃｇｄが存在する。そして、画素電極４０２と対向電極４０８との間には液晶容量Ｃｌｃが存在する。
図５は、液晶層１の内部構造を示す平面図である。図５に示すように、各画素電極４０２は、それぞれゲートライン４０７、共通電極４０９、およびソースライン４０６に囲まれている。
次に上記のような構成の本実施の形態の液晶表示装置の動作を次に説明する。
本実施の形態の液晶装置の電源ＯＮ時の動作は、図２０に示す動作と同様であるのでその説明を省略する。ここでは、本実施の形態の液晶装置の電源をＯＦＦするときの動作を説明する。
図２は、実施の形態１の液晶表示装置の電源ＯＦＦシーケンスを示すタイムチャートである。図２に示す映像表示期間１０１においては、表示面に映像を表示するための種々の電圧がドライバ２から液晶層１へ印加されている。すなわち、表示される映像表示によって、液晶層１への印加電圧が液晶層１の領域内で異なるので、液晶の配列は不均一となっている。
スイッチ４がＯＦＦされると（すなわち、スイッチ４からＯＦＦ信号が出力されると）、ドライバ２は、映像表示期間１０１を終了させ、同時にバックライト５をＯＦＦさせ、そしてＯＦＦシーケンス期間１０２を開始させる。ＯＦＦシーケンス期間１０２において、表示画面がノーマリーホワイトである場合、ドライバ２は、表示面に全面黒階調を表示するための一定電圧を液晶層１に印加する。ＯＦＦシーケンス期間１０２における電圧が一定であると、液晶層１内の各部の液晶の配列が均一となる。このＯＦＦシーケンス期間１０２は、２秒以上継続することが好ましい。
ＯＦＦシーケンス期間１０２が終了すると、ドライバ２は、電源ＯＦＦ期間１０３を開始させる。電源ＯＦＦ期間１０３が開始されると、ドライバ２は、スイッチ６を開放させ、液晶駆動電源部３から供給される電源を遮断する。このとき、液晶層１の液晶の配列が均一な状態で、液晶層１への印加電圧が０Ｖになるので、ＯＣＢモード液晶はベンド配向から均一にスプレイ配向に移行することができる。
従って、本実施の形態の液晶表示装置によれば、液晶駆動電源４をＯＦＦした後、スプレイ配向の部分とベンド配向の部分でムラが生じることがなく、外光が強い場合であっても、表示画面にムラが見えることがない。
また、例えば、室温において、電源ＯＦＦの後２秒経過後５秒以内で再度電源をＯＮしても、第２のスプレイ配向が存在しないため、再度電源ＯＮしてから、映像が表示されるまでの時間が短縮される。一例としては、第２のスプレイ配向が存在する従来の液晶表示装置において、室温において電源ＯＦＦ後３秒程度で再度電源をＯＮさせると、映像が表示されるまで約０．４秒程度かかっていたが、本実施の形態の液晶表示装置によると、再度電源ＯＮしてから約０．２秒程度で映像が表示される。
なお、以上までの説明では、ＯＦＦシーケンス期間１０２には、ドライバ２は、表示面に全面黒階調を表示させるとしたが、表示面に実質上黒階調が表示されてもよい。さらに中間階調または白階調を表示させてもよい。そのような場合でも、液晶層１の各部に印加される電圧が一定であれば、液晶層１の液晶の配列が均一な状態になるので、程度の差はあるが上記と同様の効果を得ることができる。
しかし、ＯＦＦシーケンス期間１０２において、表示面を白表示した場合、画素によっては、ベンド配向に移行せずスプレイ配向が不均一に残留する部分が生じ、表示面がなお、程度問題ではあるがムラ状に見えることも考えられるため、ＯＦＦシーケンス期間１０２では、中間階調が表示される電圧以上の電圧が液晶層１に印加されることが好ましい。その場合、表示面に実質上黒階調が表示されることが最も好ましい。
より詳細には、図８（ａ）に示すように、ＯＣＢモード液晶は、転移電圧が液晶層１に印加されることによりスプレイ配向からベンド配向に転移し、印加電圧が無くなると、ベンド配向からスプレイ配向への逆転移が生じる。図８（ｂ）は、ベンド配向およびスプレイ配向のそれぞれの電圧の変化によるエネルギー状態を示す。この図は、シミュレーションによるエネルギー計算の結果であり、弾性エネルギーと電手的エネルギーの総和を示したものである。ベンド配向のエネルギーとスプレイ配向のエネルギーは、ある電圧（以下、臨界電圧Ｖｃという。）で一致する。
そして、図８（ｂ）は、臨界電圧よりも高い電圧が液晶層１に印加されると、ベンド配向の方がエネルギー的に安定し、臨界電圧よりも低い電圧が液晶層１に印加されると、スプレイ配向の方がエネルギー的に安定することを示している。このため、臨界電圧よりも低い電圧を液晶層１に印加した場合は、最終的にはスプレイ配向に戻る。従って、ＯＦＦシーケンス期間１０２に液晶層１に印加されるのは、表示面に不均一に残留するスプレイ配向をできるだけ排除するために臨界電圧以上の電圧であることが好ましい。これは、臨界以上の電圧が印加されると、スプレイ核の密度を均一化することができるからである。
図９は、ＯＣＢモード液晶の各電圧における、スプレイ配向とベンド配向とのエネルギー差を示す。図９から、エネルギー差がゼロとなる臨界電圧は、約１．４Ｖであることがわかる。
（実施の形態２）
図３に本発明の実施の形態２の液晶表示装置の電源ＯＦＦシーケンスのタイムチャートを示す。
本実施の形態の液晶表示装置の構成は、実施の形態１の液晶表示装置の構成と同様であるのでその説明を省略する。
図３に示す映像表示期間２０１においては、表示面に映像を表示するための種々の電圧がドライバ２から液晶層１に印加されている。すなわち、表示される映像表示によって、液晶層１への印加電圧が液晶層領域内で異なるので、液晶の配列は不均一となっている。
スイッチ４がＯＦＦされると、ドライバ２は、映像表示期間２０１を終了させ、同時にバックライト５をＯＦＦさせ、そしてＯＦＦシーケンス期間２０２を開始させる。ＯＦＦシーケンス期間２０２において、ドライバ２は、液晶層１全体に、映像表示領域の電圧を超え、液晶層１に印加可能な最大電圧以下の電圧を印加する。このとき、ＯＦＦシーケンス期間２０２に液晶層１に印加される電圧は、黒表示される電圧の１．５倍以上であることが好ましい。
ＯＦＦシーケンス期間２０２における電圧が一定であり、黒表示電圧より高いと、液晶層１内の液晶の配列がより素早く均一となる。また、液晶層１に印加される電圧が黒表示電圧よりも高ければ、ベンド配向時にスプレイ配向が残留している領域（例えば、電極間の隙間領域等）が存在していても、ベンド配向に転移させることができ、ＯＦＦシーケンス期間２０２の終了後、より均一にスプレイ配向に遷移させることができる。本実施の形態において、このＯＦＦシーケンス期間２０２は、例えば、印加される電圧が黒表示電圧の１．５倍程度である場合は、１００ｍｓｅｃ以上が好ましい。
ＯＦＦシーケンス期間２０２が終了すると、ドライバ２は、電源ＯＦＦ期間２０３を開始させる。電源ＯＦＦ期間２０３が開始されると、ドライバ２は、スイッチ６を開放させ、液晶駆動電源部３から供給される電源を遮断する。このとき、液晶層１の液晶の配列が均一な状態で、液晶層１への印加電圧が０Ｖになるので、ＯＣＢモード液晶はベンド配向から均一にスプレイ配向に移行することができる。
本実施の形態の液晶表示装置においては、ＯＦＦシーケンス期間２０３が１００ｍｓｅｃあれば、液晶層１をベンド配向から均一なスプレイ配向に移行させることができるので、実施の形態１の液晶表示装置の場合よりも、電源をＯＦＦしてから早く均一なスプレイ配向に移行することができる。
従って、例えば、室温において、電源ＯＦＦの後１００ｍｓｅｃ経過後５秒以内で再度電源をＯＮしても、第２のスプレイ配向が存在しないため、電源ＯＦＦの後、再度電源ＯＮするまでの時間が短くても、実施の形態１の液晶表示装置と同様、映像が表示されるまでの時間が短縮される。
なお、本実施の形態の以上までの説明では、液晶層１に印加される電圧は、黒表示電圧の１．５倍以上が好ましいとしたが、黒表示電圧を超えていれば１．５倍未満の電圧であっても、程度の差はあれ、上記と同様の効果を得ることができる。
（実施の形態３）
図４に本発明の実施の形態３の液晶表示装置の電源ＯＦＦシーケンスのタイムチャートを示す。図４において、（ａ）は、液晶駆動電源およびバックライトの動作を示し、（ｂ）は、パネル表示の動作を示し、（ｃ）は、液晶層への電圧印加動作を示し、（ｄ）は、各電極の電位の変化を示している。
本実施の形態の液晶表示装置の構成は、実施の形態１の液晶表示装置と同様であるのでその説明を省略する。
図４に示す映像表示期間３０１においては、表示面に映像を表示するための種々の電圧がドライバ２から液晶層１に印加されている。すなわち、表示される映像表示によって、液晶層１への印加電圧が液晶層領域内で異なるので、液晶の配列は不均一となっている。
スイッチ４がＯＦＦされると、ドライバ２は、映像表示期間３０１を終了させ、同時にバックライト５をＯＦＦさせ、そしてＯＦＦシーケンス期間３０２、３０３、３０４を開始させる。まずＯＦＦシーケンス期間３０２において、ドライバ２は、液晶層１全体に、映像表示領域の電圧を超え、液晶層１に印加可能な最大電圧以下の電圧を印加する。このとき、ＯＦＦシーケンス期間３０２に液晶層１に印加される電圧は、黒表示される電圧の１．５倍以上であることが好ましい。
このときドライバ２は、液晶層１に交番電圧を印加する。すなわち、例えば図４に示すようにＯＦＦシーケンス期間３０２の前半と後半において、画素電極４０２と対向電極４０８との間に印加される電圧は大きさが等しく向きが反対方向となる電圧が交互に印加される。このように液晶層１に交番電圧が印加されることにより、液晶イオンの偏在を防止することができる。その結果、液晶層１におけるフリッカを防止することができ、また、白表示のずれが少なくなり、よりスプレイになるまでの時間を短縮することができる。
ＯＦＦシーケンス期間３０２における電圧が、黒表示電圧より高いと、液晶層１内の液晶の配列がより素早く均一となる。本実施の形態において、このＯＦＦシーケンス期間３０２は、例えば、印加される電圧が黒表示電圧の１．５倍程度である場合は、１００ｍｓｅｃ以上が好ましい。
ＯＦＦシーケンス期間３０２が終了すると、ドライバ２は、ＯＦＦシーケンス期間３０３を開始させる。表示画面がノーマリーホワイトである場合、ドライバ２は、ＯＦＦシーケンス期間３０３において、表示面に全面黒階調を表示するための交番電圧を液晶層１に印加する。このようにＯＦＦシーケンス期間３０３において黒表示電圧が印加されるのは１００ｍｓｅｃ以上であることが望ましい。
このように、ＯＦＦシーケンス期間３０２において高電圧を印加した後にＯＦＦシーケンス期間３０３に黒表示の交番電圧を印加することにより、ＯＦＦシーケンス期間３０２のみの場合と比べると、フリッカを安定させることができ、よりスプレイ配向に移行するまでの時間を短縮することができる。
ＯＦＦシーケンス期間３０３が終了した後、ドライバ２は、ＯＦＦシーケンス期間３０４を開始させる。表示画面がノーマリホワイトである場合は、ドライバ２は、ＯＦＦシーケンス期間３０４において、表示面に全面白階調を表示するための電圧を液晶層１に印加する。すなわち、ドライバ２は、対向電極４０８と画素電極４０２との間の電位差をゼロとする。そして、ドライバ２はスプレイ配向への移行を促進するために、ゲートライン４０７と画素電極４０２との間の電位差、または共通電極４０９（画素電極以外の電極）と画素電極４０２との間の電位差の少なくともいずれかをゼロとするように制御する。
このとき、液晶層１の液晶の配列が均一な状態で、液晶層１への印加電圧が０Ｖになるので、ＯＣＢモード液晶はベンド配向から均一にスプレイ配向に移行することができる。
ＯＦＦシーケンス期間３０４が終了した後、ドライバ２は、電源ＯＦＦ期間３０５を開始させる。電源ＯＦＦ期間３０５が開始されると、ドライバ２は、スイッチ６を開放させ、液晶駆動電源部３から供給される電源を遮断する。
電源ＯＦＦ期間３０５が開始された時点においては、対向電極、画素電極、ゲートライン、および共通電極におけるそれぞれの電位は同一であるので、その時点からスプレイ配向への移行が開始される。図５に示す５０３、５０４は、このようなスプレイ配向への移行（逆転移）の経過を示す。すなわち、電源ＯＦＦ期間３０５の開始時点において、画素電極４０２と共通電極４０９との間に電位差が無いので、画素電極４０２上において共通電極４０９側から画素電極４０２の中心部に向かって逆転移５０４が生じる。また、画素電極４０２とゲートライン４０７との間にも電位差が無いので、画素電極４０２上においてゲートライン４０７側から画素電極４０２の中心部に向かって逆転移５０３が生じる。このような逆転移５０３、５０４は、図５に示す例では、柱スペーサ５０５が起点となって発生している。そして、時間の経過とともに逆転移５０３、５０４がそれぞれ画素電極４０２の中心部に向かって進行することにより、スプレイ配向への移行がより早く完了する。
また、電源ＯＦＦ期間３０５が開始された時点から各電位がグラウンドレベルに達するまでの間（すなわち図４の（ｄ）に示すＡの領域）において、各電位の間に差が生じても転移電位に達するような電位差になることがない。すなわち、もし、ＯＦＦシーケンス期間３０４が無ければ、各電位の間の差が転移電位に達する可能性があるが、ＯＦＦシーケンス期間３０４を加えることにより、そのような可能性が無くなる。従って、ＯＦＦシーケンス期間３０２のみ、ＯＦＦシーケンス期間３０３のみ、ＯＦＦシーケンス期間３０２およびＯＦＦシーケンス期間３０３のみの場合に比べて、ＯＦＦシーケンス期間３０４を加えることにより、ＯＣＢモード液晶はより早くスプレイ配向に移行することができる。このＯＦＦシーケンス期間３０４は、２秒以上継続することが望ましい。
なお、本実施の形態の説明において、ＯＦＦシーケンス期間３０２、３０３においては、交番電圧が印加されるとしたが、一定電圧が印加されてもよい。その場合も、スプレイ配向への移行が早くなる、という点に関しては、上記と同様の効果を得ることができる。
また、本実施の形態の説明においては、ＯＦＦシーケンス期間３０４においては、実質上白階調が表示面に表示される電圧が液晶層１に印加されてもよい。その場合も上記と同様の効果を得ることができる。
また、本実施の形態の説明において、映像表示期間３０１の終了後、ＯＦＦシーケンス期間３０２、ＯＦＦシーケンス期間３０３、ＯＦＦシーケンス期間３０４がこの順に終了した後電源ＯＦＦ期間３０５が開始される、としたが、映像表示期間３０１の終了後、ＯＦＦシーケンス期間３０３が開始され、ＯＦＦシーケンス期間３０３が終了後ＯＦＦシーケンス期間３０４を経て電源ＯＦＦ期間３０５に至ってもよい。そのような場合でも上記と同様の効果を得ることができる。
また、映像表示期間３０１の終了後、ＯＦＦシーケンス期間３０２が開始され、ＯＦＦシーケンス期間３０２の終了後、ＯＦＦシーケンス期間３０４を経て電源ＯＦＦ期間３０５に至ってもよい。そのような場合でも上記と同様の効果を得るこどができる。
なお、実施の形態１および実施の形態２における説明においては、映像表示期間１０１、２０１の終了後、ＯＦＦシーケンス期間１０２または２０２を経て電源ＯＦＦ期間１０３または２０３に至る、としたが、映像表示期間１０１または２０１の終了後、ＯＦＦシーケンス期間３０２が開始され、ＯＦＦシーケンス期間３０２の終了後ＯＦＦシーケンス期間３０３を経て電源ＯＦＦ期間１０３または２０３に至るということも考えられる。その場合は、ＯＦＦシーケンス期間３０２において液晶層１内の液晶の配列が素早く一定となり、さらにＯＦＦシーケンス期間３０３においてフリッカを安定させることができるので、ＯＦＦシーケンス期間３０２または３０３のみの場合に比べてさらに早くスプレイ配向に移行することができる。
また、実施の形態１、２における説明においては、ＯＦＦシーケンス期間１０２、２０２において一定電圧が印加される、としたが、実施の形態３における場合と同様に交番電圧が印加されてもよい。その場合は、液晶イオンの偏在を防止することができる。その結果、液晶層１におけるフリッカを防止することができ、また、白表示のずれが少なくなり、よりスプレイになるまでの時間を短縮することができる。
さらに、本実施の形態における説明において、ＯＦＦシーケンス期間３０２、３０３では、交番電圧が印加されるとしたが、これらの期間においては一定電圧が印加されてもよい。その場合、フリッカ特性がよくなるメリットは得られないが、スプレイ配向への移行が早くなる、という効果に関しては上記と同様である。ここでＯＦＦシーケシス期間３０３のように黒表示期間をおくことで、後述する横電界によるツイスト形成効果によりより効果的に逆転移を発生させることができる。
なお、以上までの説明においては、液晶層１に印加される電圧は、均一であるとして説明したが、黒表示電圧を超える電圧が印加される場合は、不均一であってもよく、その場合も上記と同様の効果を得ることができる。
また、以上の説明では、液晶層１がノーマリホワイトの場合としたが、ノーマリブラックであってもよい。そのような場合も含めると、ＯＦＦシーケンス期間１０２および３０３においては、表示面に実質上白が表示される電圧が印加されればよい。また、ＯＦＦシーケンス期間２０２および３０２においては、表示面に白が表示される電圧よりも高く、液晶層１に印加可能な電圧以下の電圧が印加されればよい。また、ＯＦＦシーケンス期間３０４においては、表示面に実質上黒が表示される電圧が印加されればよい。このように液晶層１がノーマリブラックであっても、上記と同様の効果を得ることができる。
また、以上までの実施の形態の説明において、液晶層１に電圧が印加されるとは、画素電極４０２と対向電極４０８との間に電圧が印加されていることを意味している。
また、以上までの説明では、バックライト５の照射は、映像表示期間１０１、２０１、３０１の終了と同時にＯＦＦされるとしたが、バックライト５の照射は、ＯＦＦシーケンス期間１０２、２０２、３０４の終了期間後にＯＦＦされてもよい。また、映像表示期間１０１、２０１、３０１の終了後、ＯＦＦシーケンス期間１０２、２０２、３０４までの間にバックライト５の照射がＯＦＦされてもよい。そのような場合も、液晶層１は均一な状態でベンド配向からスプレイ配向に移行することができるので、表示画面にムラが生じることはない。
また、バックライト５の照射は、映像表示期間１０１、２０１の終了前にＯＦＦされてもよい。
また、以上までの説明では、スイッチ４は、ドライバ２に接続される構成を示したが、スイッチ４は、そのオンオフ信号をドライバ２に伝達することができれば、必ずしもドライバ２に接続されていなくともよい。
また、以上までの説明では、バックライト５はドライバ２に接続される構成を示したが、バックライト５は、上述したような所定のシーケンスの後に消灯する動作を行うことができればドライバ２に必ずしも接続されていなくてもよい。
また、以上までの実施の形態の液晶表示装置は、共通電極４０９を有するとして説明してきたが、共通電極４０９が無くてもよい。その場合は、図５に示す逆転移２０３は、隣接する前段のゲートライン４０７から生じる。
（実施の形態４）
実施の形態１〜３の液晶表示装置は、電源ＯＦＦ時に、まず、表示で用いる電圧、または表示電圧よりも高い電圧を液晶層１に印加して画素内に残留したスプレイ配向を一旦ベンド配向に均一化する動作を行うものである。
本実施の形態における液晶表示装置は、各画素全てにスプレイ配向の核、すなわち逆転移の核を形成する、という概念に基づく。以下に詳細を記載する。
液晶層１への印加電圧を略０Ｖにすると、ベンド配向はツイスト配向に遷移する。これはベンド配向とツイスト配向がエネルギー的に障壁なく連続的につながっていることを示している。ただし、このツイストは右回りか左回りであるかは原理的には等価である。この右回りツイストの領域と、左回りツイストの領域を意図的に形成してやると、領域間にディスクリネーションラインが発生し、このディスクリネーションラインを起点にスプレイ配向が発生することを我々は見出した。ディスクリネーションラインとは線上に見える配向遷移領域であり、この中で液晶分子は面内での配向方位を連続的に変化させている。そして、このディスクリネーションラインにおいてスプレイ配向に類似した、ツイスト変形が少ない領域が局所的にできていると思われる。このスプレイ配向類似領域を意図的に形成することで、スプレイ配向の核、すなわち逆転移の核を形成することができる。
図１０は、このような概念を実現するための、本実施の形態の液晶表示装置に使用される各電極の構造を模式的に示す。６０２は、特定の画素における画素電極であり、６２２は、画素電極６０２に液晶の配向方向（ソースライン４０６の方向）に隣接する画素電極であり、６０９は、本発明の特定電極の一例として対応する、共通電極である。共通電極６０９は図１０では長手形状として示されている。画素電極６０２、６２２は、その一部が共通電極６０９の一部に対向して誘電体６３２、６４２を介して設置されている。画素電極６０２の輪郭には、共通電極６０９の長手方向に対して垂直に第１の部分６１１および第２の部分６１２が形成されている。すなわち、第１の部分６１１および第２の部分６１２が画素電極６０２、６２２と同一の面内におけるＯＣＢモード液晶の配向方向と平行に形成されている。同様に画素電極６２２の輪郭には、共通電極６０９の長手方向に対して垂直に第１の部分６１３および第２の部分６１４が形成されている。
次に、このような電極構成を有する本実施の形態の液晶表示装置の動作を説明する。図１１は、図１０に示す各電極へ印加する電圧波形を示す例である。共通電極６０９を介して隣接する画素電極６０２と画素電極６２２には、互いに反転する電圧が印加される（ドット反転駆動）。図１１に示す例では、各画素電極と対向電極との間には、５Ｖの電圧が印加されるので、例えば、液晶層１がノーマリホワイトの場合、黒表示の電圧が液晶層１に印加される。
例えば、このドット反転駆動の動作において、画素電極６０２に１０Ｖが印加され、画素電極６２２に０Ｖが印加されている状態を図１２に示す。図１２は、図１０の構成の各電極を対向電極６０８側から見た平面図である。上記のように電圧が印加されている状態では、ＯＣＢモード液晶の配向方向６１７に対して、画素電極６０２の第１の部分６１１を境界として図の左向きに電界が生じ、同様に画素電極６２２の第１の部分６１３においても同方向の電界が生じる。その結果、第１の部分６１１、６１３の付近に配向されているＯＣＢモード液晶は、同一面内において、左向き（反時計廻り）のツイストを生じる（図１０の左回りツイスト領域６１５）。一方、画素電極６０２の第２の部分６１２を境界として図の右向きに電界が生じ、同様に画素電極６２２の第２の部分６１４においても同方向の電界が生じる。その結果、第２の部分６１２、６１４の付近に配向されているＯＣＢモード液晶は、同一面内において、右向き（時計廻り）のツイストを生じる（図１０の右回りツイスト領域６１６）。
このように生じた左回りツイスト領域６１５と右回りツイスト領域６１６は、両者の境界において、上述のディスクリネーションライン６１０を生じさせる。そして、このディスクリネーションライン６１０が核となり、各画素において、逆転移が極めて安定的に発生し、ベンド配向は表示面全面にわたって、迅速にスプレイ配向に遷移する。
図１２に示す例でわかるように、右回りツイストを形成させるためには右方向の横電界を、左回りツイストを発生させるためには左方向の横電界を印加すればよい。このように右方向の横電界と左方向の横電界を生じる電極を以下、ジグザグ電極という。そして、１つの画素内に多くのディスクリネーションライン６１０を生じさせるためには、図１６に示すように、図１２に示す構成を連続して形成してジグザグ電極６２４としてもよい。図１６に示す例では、ジグザグ電極６２４をＩＴＯパターンで形成し、その下部に形成した共通電極６０９との間で横電界を印加する構成である。このようにジグザグ電極６２４を画素電極のＩＴＯパターンで形成する場合、横電界として黒表示する電圧をジグザグ電極６２４に印加することがスプレイ配向の核の形成には最も効果的でる。そして、この横電界を印加した状態から、電荷を抜き０Ｖ状態へ遷移することで効果的に右ツイストと左ツイストを形成することができる。
以上の説明のように、本実施の形態の液晶表示装置においては、電源ＯＦＦ時に各画素毎に積極的にスプレイ配向の核を形成することができるので、表示面をベンド配向から迅速にスプレイ配向に遷移させることができる。
本実施の形態の液晶表示装置においては、下部に形成した共通電極６０９と上層に形成した画素電極６２２、６０２間に電界を印加することが特徴である。ここで黒表示を行う時のように、画素電極６２２に＋１０Ｖ、画素電極６０２に０Ｖ、６０９に５Ｖを印加して横電界を発生させ、ツイストを形成した状態で、対向電極６０８を含めた全ての電位を０Ｖにすることで、当初形成したツイスト配向の影響を利用しながらディスクリネーションを形成させ、ひいてはスプレイ配向の核を形成させても良い。
また、画素電極６２２、６０２および対向電極６０８の間に白表示、すなわち０Ｖの電圧を印加しながら、横電界を印加する手法もある。このとき共通電極６０９には０Ｖを、画素電極６２２、６０２と対向電極６０８に等しく５Ｖを印加することで、画素電極６２２、６０２上の液晶には０Ｖを印加し逆転移を発生させながら、共通電極６０９の部分では横電界でツイストを発生させることができる。
なお、上記では、ＯＣＢモード液晶の配向方向に隣接する画素電極をドット反転駆動する例を説明したが、１つの画素電極上にジグザグ電極６２４が形成されることも考えられる。または、１つの画素電極の輪郭の一部が上記の第１の部分６１１、第２の部分６１２を有するだけの構成であってもよい。図１７（ａ）（ｂ）は、そのような場合の画素の構成例を示す。図１７（ｂ）は、図１７（ａ）の部分拡大図である。この場合、共通電極７２９と画素電極７２２のみとが重なっている領域にジグザグ電極７２４が形成されている。図１７（ｂ）に示すジグザグ電極７２４’は、ＯＣＢモード液晶の配向方向に隣接する画素電極７０２上に形成されたものである。このような構成によれば、電極間の寄生容量を少なくすることができ、かつ上記と同様の効果を得ることができる。
図１８（ａ）（ｂ）は、１つの画素電極上にジグザグ電極が形成される別の例である。図１８（ｂ）は、図１８（ａ）の部分拡大図である。この場合、ジグザグ電極８２４は、本発明の特定電極の別の一例であるゲート電極８２５上に形成されている。また、ジグザグ電極８２４は、ＴＦＴ８０３の構造の一部を兼ねている。このような場合でも、上記と同様に電源ＯＦＦ時にスプレイ配向の核を形成することができる。
また、上記の例では、各ジグザグ電極は、その第１の部分６１１、６１３および第２の部分６１２、６１４がＯＣＢモード液晶の配向方向と平行である場合を説明したが、これらは必ずしも平行でなくともよく、実質上平行の関係であってもよい。さらには、これらは、平行でなくても、垂直以外の関係であってもよい。例えば、図１３にそのような場合の電極の構成例を示す。このような場合でも、互いに反対向きのツイストを生じることができるので、同様の効果を得ることができる。すなわち、第１の部分を境界として生じる横電界により生じるツイストの方向と、第２の部分を境界として生じる横電界により生じるツイストの方向とが、反対方向であれば、第１の部分とＯＣＢモード液晶の配向方向との関係、および第２の部分とＯＣＢモード液晶の配向方向との関係は、どのような関係であっても、上記と同様の効果を得ることができる。
また、上記では、第１の部分６１１、６１３が左回りツイスト領域を形成し、第２の部分６１２、６１４が右回りツイスト領域を形成する場合を説明したが、その逆も当然あり得、第１の部分６１１、６１３が一方にツイストする方向の電界を生じさせた場合、第２の部分６１２、６１４は他方にツイストする方向の電界を生じさせる。
さらに、上記までは、各ジグザグ電極は、第１の部分６１１と第２の部分６１２の両方が存在することを前提として説明してきたが、第１の部分６１１および第２の部分６１２のいずれかのみが存在する場合も考えられる。その場合、左回りツイスト領域６１５と右回りツイスト領域６１６の両方が形成されるわけではないのでディスクリネーションラインは形成されない。しかし、いずれかのツイスト領域が形成されていれば、スプレイ配向の核になる可能性が高いので、程度の差はあれ、上記と同様の効果を得ることができる。例えば、図１４に示すように、画素電極６０２、６２２の輪郭の一部が、共通電極６０９に対して、斜めに横切っているだけの構成も考えられる。
なお、本実施の形態において、画素電極の輪郭とは、画素電極の外部周囲の形状のみを意味するものではなく、画素電極の内部に形成された穴、切り欠き等の形状も含む（例えば、図１５参照。）。
また、本実施の形態における各共通電極は、前段のゲートラインを利用していることもある。例えば図１８（ａ）（ｂ）のように、ゲート電極８２５上にＵ字型構造を有したＴＦＴ８０３を形成しても良い。この構造では、画素電極の輪郭でツイスト形成に効果のある箇所は、図１８（ｂ）の太実線で示した箇所となる。このように突起構造が、ゲート線のように下部電極構造に突き出している構成でもかまわない。
また、画素電極と誘電体を介して対向して配置されるのは、共通電極やゲート電極の他の電極であることも考えられ、すなわち、本発明の特定電極は、画素電極以外の電極であれば、画素電極との境界において電荷が生じることがあるので、その場合は上記と同様の効果を得ることができる。
また、以上の説明では、表示面がノーマリホワイトの場合、横電界は例えば黒表示する電圧を各ジグザグ電極に印加することにより形成されるとしたが、各ジグザグ電極に印加するのは黒表示電圧に限られず、画素内に横電界が形成されることができる電圧であればいずれの電圧であってもよい。このような場合も上記と同様の効果が得られる。
また、本実施の形態で説明した、横電界の印加は、実施の形態１〜３の液晶表示装置に組み合わせることができる。例えば、実施の形態１、２の場合は、オフシーケンス期間１０２、２０２と電源ＯＦＦ期間１０３、２０３との間に横電界印加期間を挿入することができる。また、実施の形態３の場合は、ＯＦＦシーケンス期間３０４と同時に横電界を印加することができる。あるいは、実施の形態１、２のＯＦＦシーケンス期間１０２、２０２、３０３と同時に横電界を印加することもできる。しかし、その場合は、これらのシーケンス期間が終了後に横電界を残しながら、各画素電極と対向電極との間の電荷を抜く（白表示電圧を印加する）ことが必要である。この理由は、表示階調以上の電圧が各画素電極と対向電極との間に印加されている状態では、横電界が印加されてスプレイ配向の核が形成されても、すぐに消失してしまうからである。上記のように、横電界の印加を、実施の形態１〜３の液晶表示装置に組み合わせることにより、電源ＯＦＦ時に表示面をさらに迅速にベンド配向からスプレイ配向に遷移させることができる。
また、以上までの説明では、表示面に均一階調の電圧を印加しながら、横電界を印加する動作を説明したが、電源ＯＦＦ時に、各画素電極と対向電極との間に均一な電圧を印加することなく、また各画素電極と対向電極との間に不均一な電圧を印加し、表示状態の終了後直ちに、各画素に横電界のみを印加する動作も考えられる。その場合、表示面はベンド配向から必ずしも均一にスプレイ配向に遷移するわけではないが、スプレイ配向の核が各画素において積極的に形成されているので、迅速なスプレイ配向への遷移を得ることができる。
また、以上までの実施の形態の説明における、本発明の所定時間とは、実施の形態１においては、ＯＦＦシーケンス期間１０２であり、実施の形態２においては、ＯＦＦシーケンス期間２０２であり、実施の形態３においては、ＯＦＦシーケンス期間３０４または、ＯＦＦシーケンス期間３０２、３０３、３０４の組み合わに相当する。実施の形態４の場合は、横電界を印加している時間に相当する。また、実施の形態１または２における場合は、ＯＦＦシーケンス期間１０２および２０２、またはＯＦＦシーケンス期間３０２および３０３であることもあり得る。
また、以上までの実施の形態の説明では、バックライト５が存在する前提で説明を行ってきたが、反射型液晶等、バックライト５が存在しない場合も考えられる。すなわち、外光のみによって液晶層１が照射される構成であっても、電源ＯＦＦ時に液晶層１が均一な状態でベンド配向からスプレイ配向に移行することができれば、上記と同様の効果を得ることができる。
（実施の形態５）
図１６は、実施の形態５の液晶表示装置を示す図である。本実施の形態の液晶表示装置においては、各画素内に無電圧領域６３０が形成されいることを特徴とする。無電圧領域６３０は、画素内において、画素電極６２２、ＴＦＴ７０３、ソース信号線７０４等が配置されておらず、対向電極６０８に対して電圧を有していない領域である。そして無電圧領域６３０は、画素に表示電圧が印加されている状態でも、その少なくとも一部は周囲のベンド配向の影響を受けずにスプレイ配向を維持することができる大きさを有している。好ましくは、黒階調を表示する電圧が長時間（例えば、８時間）表示面に印加されている状態でも、少なくともその一部は周囲のベンド配向の影響を受けずにスプレイ配向を維持することができる大きさである。さらに好ましくは、この無電圧領域６３０の大きさは、４００μｍ２以上の大きさを有していることである。
次に、本実施の形態の液晶表示装置の動作を説明する。上述のように、表示状態においても、無電圧領域６３０には、スプレイ配向の部分が残っているので、電源ＯＦＦ時に、スプレイ配向が表示面の全面に渡って迅速に広がっていく。このとき、無電圧領域６３０の周囲がベンド配向であり、特にＯＣＢモード液晶が立った状態であっても無電圧領域６３０のスプレイ配向が影響を受けることがない。
従って、本実施の形態の液晶表示装置によれば、電源ＯＦＦ前の表示面の表示状態によらず、電源ＯＦＦ時に表示面が迅速にベンド配向からスプレイ配向に移行することができる。すなわち、電源ＯＦＦ時に周囲のスプレイ配向の侵入や、偶発的なスプレイ配向の核の形成に依存することがないので、ツイスト配向が長く残ることなく、表示面はベンド配向からスプレイ配向に速やかに移行することができる。
なお、本実施の形態の液晶表示装置は、実施の形態１〜３の液晶表示装置または実施の形態４の液晶表示装置に組み合わせて使用されれば、電源ＯＦＦ時に、表示面が均一でさらに迅速にスプレイ配向に移行することができる。
しかし、本実施の形態の液晶表示装置は、電源がＯＦＦされる前の状態によらず、スプレイ配向が残存しているので、実施の形態１〜４の液晶表示装置と組み合わせて使用されなくても同様の効果を得ることができる。
なお、本発明は、上述した本発明の液晶表示装置の全部または一部の手段の機能をコンピュータにより実行させるためのプログラムであって、コンピュータと協働して動作するプログラムであってもよい。
また、本発明は、上述した本発明の液晶表示装置の全部または一部の手段の全部または一部の機能をコンピュータにより実行させるためのプログラムを担持した媒体であり、コンピュータにより読み取り可能且つ、読み取られた前記プログラムが前記コンピュータと協動して前記機能を実行する媒体であってもよい。
なお、本発明の一部の手段とは、それらの複数の手段の内の、幾つかの手段を意味し、あるいは、一つの手段の内の、一部の機能または一部の動作を意味するものである。
また、本発明の一部の装置とは、それらの複数の装置の内の、幾つかの装置を意味し、あるいは、一つの装置の内の、一部の手段を意味し、あるいは、一つの手段の内の、一部の機能を意味するものである。
また、本発明のプログラムを記録した、コンピュータに読みとり可能な記録媒体も本発明に含まれる。
また、本発明のプログラムの一利用形態は、コンピュータにより読み取り可能な記録媒体に記録され、コンピュータと協働して動作する態様であっても良い。
また、本発明のプログラムの一利用形態は、伝送媒体中を伝送し、コンピュータにより読みとられ、コンピュータと協働して動作する態様であっても良い。
また、記録媒体としては、ＲＯＭ等が含まれ、伝送媒体としては、インターネット等の伝送機構、光・電波・音波等が含まれる。
また、上述した本発明のコンピュータは、ＣＰＵ等の純然たるハードウェアに限らず、ファームウェアや、ＯＳ、更に周辺機器を含むものであっても良い。
なお、以上説明した様に、本発明の構成は、ソフトウェア的に実現しても良いし、ハードウェア的に実現しても良い。
【実施例】  図７は、実施の形態１〜３の液晶表示装置において、各ＯＦＦシーケンス期間の組み合わせによる、スプレイ配向への移行時間の違いの具体的なデータを示す。この図において、例えば、黒表示（５ｓ、６Ｖ）とは、６Ｖの黒表示電圧を５秒間にわたって印加することを意味する。従来の液晶表示装置においては、電源ＯＦＦ操作を行った後、パネル全面がスプレイ配向に移行するまでの時間は、３６秒であった。しかし、本発明の実施の形態１の液晶表示装置によれば、この時間は２５秒となった。また、本発明の実施の形態２の液晶表示装置によれば、この時間は１２秒となった。さらに、本発明の実施の形態３の液晶表示装置によれば、この時間は５秒となった。なお、これらのデータは、映像表示を固定パターンで１時間表示させ、室温で計測したものである。なお、上記の数値は、あくまで一例であり、種種の数値の組み合わせが可能である。
このように、本発明の液晶表示装置によれば、パネル全面がスプレイ配向に移行するまでの時間を短縮することができることがわかった。
【産業上の利用可能性】  本発明にかかる液晶表示装置、液晶表示装置の停止方法、そのプログラム、記録媒体によれば、ＯＣＢモード液晶を使用した液晶表示装置において、電源ＯＦＦ後の表示画面のムラの発生を防止することができ、液晶表示装置等として有用である。
【図１】
2004063801.tif 000003
【図２】
2004063801.tif 000004
【図３】
2004063801.tif 000005
【図４】
2004063801.tif 000006
【図５】
2004063801.tif 000007
【図６】
2004063801.tif 000008
【図７】
2004063801.tif 000009
【図８】
2004063801.tif 000010
【図９】
2004063801.tif 000011
【図１０】
2004063801.tif 000012
【図１１】
2004063801.tif 000013
【図１２】
2004063801.tif 000014
【図１３】
2004063801.tif 000015
【図１４】
2004063801.tif 000016
【図１５】
2004063801.tif 000017
【図１６】
2004063801.tif 000018
【図１７】
2004063801.tif 000019
【図１８】
2004063801.tif 000020
【図１９】
2004063801.tif 000021
【図２０】
2004063801.tif 000022
【国際調査報告】
2004063801.tif 000023
2004063801.tif 000024
2004063801.tif 000025
2004063801.tif 000026